(57)【要約】【課題】マグネットを有するタイマーにおいて、マグネットの付着，吸着機能をさらに有効に利用し、現状のタイマーにない他の機能を持たせるようにしたタイマーを提供する。【解決手段】表面側に計時表示部２を有し、かつ裏面に吸着用マグネットを有するタイマー本体１と、裏面に吸着用マグネットを有するマグネット体６とを、金属製チェーン，ワイヤなどからなる保持線８によって連結する。【選択図】図１
0003136734.tif 000002
【実用新案登録請求の範囲】
【請求項１】
内蔵されたタイマー回路から計数データを受けて外装面側にて表示する計時表示部および裏面に吸着用マグネットを備えたタイマー本体と、外装面を有するマグネット体と、前記タイマー本体と前記マグネット体とを連結する保持線とを備えたことを特徴とするタイマー。
【請求項２】
複数の前記マグネット体と、これらのマグネット体と前記タイマー本体とを連結する複数の前記保持線を設けたことを特徴とする請求項１記載のタイマー。
【請求項３】
前記マグネット体をクリップ構造にしたことを特徴とする請求項１または２記載のタイマー。
【請求項４】
前記保持線を金属あるいはプラスチックあるいは布にて形成したことを特徴とする請求項１または２記載のタイマー。
【請求項５】
前記保持線をマグネット材で形成したことを特徴とする請求項１または２記載のタイマー。
【請求項６】
前記保持線にクリップを設けたことを特徴とする請求項１または２記載のタイマー。
【考案の詳細な説明】
【技術分野】
【０００１】  本考案は、マグネットを一部に有し、適所に磁気的に付着させることができるタイマーに関するものである。
【背景技術】
【０００２】  本件出願人は、特許文献１に記載のような家庭向けのタイマー装置を出願している。  現状、市販されているタイマー装置は、カウントされた時，分，秒を計時表示するものであり、外装デザインとして多種多様なのものが販売されている。その中で、裏面側にマグネットを設けて、タイマー装置を磁力にて吸着して適所に保持することができるようにした構造のものがある。【特許文献１】実用新案登録第３０８１０７２号公報
【考案の開示】
【考案が解決しようとする課題】
【０００３】  前記従来のタイマー装置は、機能的には時，分，秒を計時表示する機能のみを備えたものであると言える。【０００４】  そこで本件出願人は、現状のタイマー装置に比して、より顧客の注意を惹き、かつ家庭向きのタイマー装置として利便性の高い機能を付加したものを提供することを検討することにした。【０００５】  本考案では、マグネットを有するタイマーにおいて、マグネットの付着，吸着機能をさらに有効に利用し、現状のタイマーにない他の機能を持たせるようにしたタイマーを実現することを課題としている。
【課題を解決するための手段】
【０００６】  前記課題に鑑み、本考案のタイマーは、内蔵されたタイマー回路から計数データを受けて外装面側にて表示する計時表示部および裏面に吸着用マグネットを備えたタイマー本体と、外装面を有するマグネット体と、前記タイマー本体と前記マグネット体とを連結する保持線とを備えたことを特徴とする。【０００７】  また、複数の前記マグネット体と、これらのマグネット体と前記タイマー本体とを連結する複数の前記保持線を設けたことを特徴とする。【０００８】  また、前記マグネット体をクリップ構造にしたことを特徴とする。【０００９】  また、前記保持線を金属あるいはプラスチックあるいは布にて形成したことを特徴とする。【００１０】  また、前記保持線をマグネット材で形成したことを特徴とする。【００１１】  また、前記保持線にクリップを設けたことを特徴とする。
【考案の効果】
【００１２】  本考案によれば、従来と同様の吸着用マグネットを備えたタイマー本体とは別体の外装面を有するマグネット体を備え、適所に磁気的に吸着させたタイマー本体とマグネット体との間に保持線を配するようにしたことにより、例えば、その保持線に輪ゴムあるいは小メモ紙などの軽量物を引っ掛けたり、クリップ止めしたりすることが簡単かつ容易にできる。【００１３】  また、吸着用マグネットを備えたタイマー本体とマグネット体とにより、１つのマグネットでは保持することができない比較的重いものまでを保持することが可能になり、さらに、タイマー本体とマグネット体とにそれぞれ、メモ紙を隣り合わせて保持するなどの多様な使用法が可能になる。【００１４】  さらに、タイマー本体とマグネット体とが保持線にて連結していることにより、マグネット体が紛失するなどの不具合の発生がなくなる。
【考案を実施するための最良の形態】
【００１５】  以下に、本考案の好適な実施の形態を図面に基づいて説明する。  図１は本考案の好適な実施の形態であるタイマーの正面図、図２は図１のタイマーの背面図である。【００１６】  図１，２において、１は、タイマー本体であって、内蔵されたタイマー回路（図示せず）から計数データを受けて、外装面側にてデジタル表示する液晶ディスプレイあるいはＬＥＤディスプレイなどからなる計時表示部２と、使用者が計時などにおける各種モードを設定するための操作ボタン３と、裏面に固定された吸着用マグネット４と、電池収納部５とを備え、外装面として多様な意匠が施される。【００１７】  ６は、マグネット体であって、タイマー本体１と同様に、裏面に吸着用マグネット７を備え、多様な意匠を施される外装面を有する。【００１８】  ８は、タイマー本体１とマグネット体６とを連結する金属製チェーン，ワイヤなどからなる保持線である。【００１９】  前記構成の本実施の形態では、例えばタイマー本体１とマグネット体６とを離して、両吸着用マグネット４，７を磁気力にて冷蔵庫などに吸着させて取り付ければ、輪ゴムなどを保持線８に巻き付けたり、あるいは保持線８にクリップを設けて、レシピなどを書いた小メモを保持したりすることが可能になる。【００２０】  また、タイマー本体１とマグネット体６とを近接させれば、単体では保持することができない比較的大きく重いメモ紙を、両吸着用マグネット４，７の加算磁気力にて保持することができる。さらに、タイマー本体１とマグネット体６とにそれぞれ、例えば関連するメモ内容のメモ紙を保持することもできる。【００２１】  このように本タイマーは、タイマー本体１およびマグネット体６と、それを連結する保持線８とからなるユニークな形態であり、利便性に優れた家庭用のタイマーとして優秀なものである。【００２２】  また、タイマー本体１にマグネット体６を付属させても、両者が保持線８にて連結していることにより、マグネット体６が紛失することを防ぐことができる。【００２３】  なお、前記タイマー本体１と前記マグネット体６と前記保持線８は、図示したように、それぞれ１つずつでなく、複数のものを連結する構成にすることも考えられる。【００２４】  また、前記マグネット体６に物を挟むことができるクリップ構造を備えたり、前記保持線８にクリップを設けたりすれば、さらに利便性が増す。【００２５】  また、前記保持線８としては、金属製のもの以外にも、プラスチック製あるいは布製のものも使用することが可能である。さらに保持線８自体を、マグネットにすることも考えられる。
【産業上の利用可能性】
【００２６】  本考案は、多様な意匠展開を図ることが可能であり、かつオフィス用，家庭用などにおいて、多様な使用法に対応することができるタイマーとして有効であって、特に家庭用のキッチンタイマーとして有効である。
【図面の簡単な説明】
【００２７】
【図１】本考案の好適な実施の形態であるタイマーの正面図である。
【図２】本実施の形態であるタイマーの背面図である。
【符号の説明】
【００２８】１  タイマー本体２  計時表示部３  操作ボタン４  タイマー本体の吸着用マグネット５  電池収納部６  マグネット体７  マグネット体の吸着用マグネット８  保持線
【図１】
0003136734.tif 000003
【図２】
0003136734.tif 000004